(57)【要約】【課題】部屋全体を満遍なく空調できながら、局部的な温度要求にも対応できるようにする。【解決手段】表裏に貫通する多数の空気流通孔を備えると共に天井面Ｃに沿って配置自在な多孔パネル６を設け、下方が開口した給気チャンバー７を、多孔パネル６の上面に載置自在に設けてある天井ユニットであって、多孔パネル６の一部に、給気チャンバー７内の空気を、天井下方に向けて吹き出すファンＦが取り付けてある。【選択図】図１
2015031060.tif 000002
【特許請求の範囲】
【請求項１】
表裏に貫通する多数の空気流通孔を備えると共に天井面に沿って配置自在な多孔パネルを設け、
下方が開口した給気チャンバーを、前記多孔パネルの上面に載置自在に設けてある天井ユニットであって、
前記多孔パネルの一部に、前記給気チャンバー内の空気を、天井下方に向けて吹き出すファンが取り付けてある天井ユニット。
【請求項２】
前記給気チャンバー内における前記ファンの平面配置を変更自在なファン配置変更手段が設けてある請求項１に記載の天井ユニット。
【請求項３】
前記ファン配置変更手段は、平面配置を変更自在な状態に前記多孔パネルを分割形成した複数の分割多孔パネルを備えると共に、
一部の前記分割多孔パネルに前記ファンを取り付けて構成してある請求項２に記載の天井ユニット。
【請求項４】
前記ファンを備えた前記多孔パネルは、前記ファンを備えてないパネルと交換自在に形成してある請求項１に記載の天井ユニット。
【請求項５】
請求項１〜４の何れか一項に記載の天井ユニットを、前記天井面に沿って取り付けてある天井構造であって、
横間隔をあけて天井スラブに吊り下げ支持された支持具にわたって、前記多孔パネルを支持させてあり、
前記給気チャンバーに空調機からの給気ダクトを連通接続してある天井構造。
【請求項６】
天井面に開口するスリット状の吹出口を設けてあると共に、前記吹出口に前記空調機からの前記給気ダクトを連通接続してある対流空調方式の天井構造を、請求項５に記載の天井構造に改修する天井改修方法であって、
前記吹出口に隣接する天井板を、前記多孔パネルに交換すると共に、
前記多孔パネルの上面に、下方が開口した給気チャンバーを載置し、
前記吹出口に連通接続してある前記給気ダクトを、前記給気チャンバーに着け替える天井改修方法。
【発明の詳細な説明】
【技術分野】
【０００１】
本発明は、表裏に貫通する多数の空気流通孔を備えると共に天井面に沿って配置自在な多孔パネルを設け、下方が開口した給気チャンバーを、前記多孔パネルの上面に載置自在に設けてある天井ユニットに関し、また、その天井ユニットを、前記天井面に沿って取り付けてある天井構造に関し、また、その天井構造に改修する天井改修方法に関する。便宜上、これら天井ユニットや天井構造や天井改修方法を含めて天井空調技術と言う。
【背景技術】
【０００２】
従来、この種の天井空調技術の一つとしては、天井面に開口するスリット状の吹出口を設けると共に、その吹出口から天井下方に空調空気を吹き出すように、空調機からの給気ダクトを天井裏空間で吹出口に連通接続してある天井構造があり、所謂「対流空調方式」の空調を行うように構成されている。
この天井構造によれば、空調空気が、吹出口から直接的に天井下方に向けて勢い良く吹き出されるから、ドラフト感が否めないと共に、室内全域の空調効果にむらが生じ易い問題点がある。
この問題点を解消する空調方式としては、所謂「放射空調方式」が挙げられる。
この「放射空調方式」を採用した天井構造の一例としては、表裏に貫通する多数の空気流通孔を備えると共に天井面に沿って配置自在な多孔パネルを、横間隔をあけて天井スラブに吊り下げ支持された支持具にわたって設け、その多孔パネルの上に、下方が開口した給気チャンバーを載置して構成してあるものがあった（例えば、特許文献１参照）。
この天井構造によれば、多孔パネルから天井下方への熱放射による空調効果と、多孔パネルに備えた多数の細孔を通して空調空気が微速で降下することによる空調効果とを発揮することができ、ドラフト感を抑え、且つ、温度むらの少ない状態に空調することが可能となる。
また、一枚の多孔パネルには、一つの給気チャンバーが載置された構造がとられている。
【先行技術文献】
【特許文献】
【０００３】
【特許文献１】特開２００９−２４９８９７号公報（図２、図４）
【発明の概要】
【発明が解決しようとする課題】
【０００４】
上述した従来の天井空調技術によれば、多孔パネルからの熱放射を利用して、バラツキの少ない空調が可能となるものであるから、逆に、局部的な温度要求に対応した空調コントロールは困難であり、例えば、室内の局部に発熱源（例えば、コンピュータやコピー、他のＩＴ機器等）があるような場合には、その近傍において温度の上昇が見られ、他の部分より暑く感じる。また、発熱源が無いにしても、例えば、暑い外環境から入室してきた人は、空調の効きが低く感じられて一時的に強い空調効果を要求する場合があるが、従来の天井空調技術によれば、そのような局部的な温度要求に対応しきれない問題点がある。
【０００５】
従って、本発明の目的は、上記問題点を解消し、部屋全体を満遍なく空調できながら、局部的な温度要求にも対応できる天井空調技術を提供するところにある。
【課題を解決するための手段】
【０００６】
本発明の第１の特徴構成は、表裏に貫通する多数の空気流通孔を備えると共に天井面に沿って配置自在な多孔パネルを設け、下方が開口した給気チャンバーを、前記多孔パネルの上面に載置自在に設けてある天井ユニットであって、前記多孔パネルの一部に、前記給気チャンバー内の空気を、天井下方に向けて吹き出すファンが取り付けてあるところにある。
【０００７】
本発明の第１の特徴構成によれば、多孔パネルを介した放射空調、及び、多数の空気流通孔から空調空気が下方にしみ出すことによる室内の広い範囲に対する空調効果に加えて、ファンによって室内の局部を対象とするパーソナル空調を実現することができる。
従って、部屋全体を満遍なく空調できながら、局部的な温度要求にも対応できるようになる。
また、設備としては、大掛かりな装備をしなくても、多孔パネルの一部にファンを設けると共に、それらの上に給気チャンバーを載置するだけの簡単なもとのして構成できるから、上述のような、肌理の細かな高度な空調を、経済的に実施することが可能となる。
【０００８】
本発明の第２の特徴構成は、前記給気チャンバー内における前記ファンの平面配置を変更自在なファン配置変更手段が設けてあるところにある。
【０００９】
本発明の第２の特徴構成によれば、ファン配置変更手段を設けてあることで、給気チャンバー内のファンの平面配置を変更できるようになり、ニーズに合わせたファン配置変更を任意に実施できるようになる。
従って、例えば、人が座る位置や、熱源が設置されている位置等に合わせてファン配置を変更して、その部分を対象としたパーソナル空調を簡単に実施できるようになる。
【００１０】
因みに、ファン配置変更手段の主な具体例としては、次のような構成例が挙げられる。
例えば、ファンが取り付けられている多孔パネルを、給気チャンバーに対して配置変更（例えば、設置方位変更や設置位置変更）することで、自動的に給気チャンバーに対するファンの配置変更も図れるようにする構成例。
例えば、多孔パネルに対するファンの取付位置を変更自在にする構成例。
例えば、平面位置変更自在に複数分割した分割多孔パネルを設けて、それらの内のファン付きの分割多孔パネルの平面位置を変更することで給気チャンバーに対するファンの配置変更を図るようにする構成例。
【００１１】
本発明の第３の特徴構成は、前記ファン配置変更手段は、平面配置を変更自在な状態に前記多孔パネルを分割形成した複数の分割多孔パネルを備えると共に、一部の前記分割多孔パネルに前記ファンを取り付けて構成してあるところにある。
【００１２】
本発明の第３の特徴構成によれば、ファン配置変更手段として、平面配置変更自在に複数分割化した分割多孔パネルの内の一部のものにファンを取り付けたことで、ファン付き分割多孔パネルと、ファン無し分割多孔パネルとの配置替えを行うだけで、簡単に、給気チャンバー内でのファンの平面配置を変更することができるようになる。
また、多孔パネルを複数に分割することで、分割された分割多孔パネルの一つ一つを、コンパクトで取り扱い易い大きさにすることができ、設置作業やメンテナンス作業の作業効率を向上させることができる。
そして、多孔パネルの局部に目詰まりや破損等が発生した場合にも、全体を取り替える必要が無く、該当する部分の分割多孔パネルのみを取り替えればよいから、維持コストの低減化を図ることができる。
また、ファンの取り替えやメンテナンスを実施する際、ファン付きの分割多孔パネルに隣接する分割多孔パネルを横にずらして、その開口を臨時の点検口として利用したり、ファン付き分割多孔パネルを天井から取り外して作業をすることも可能となり、天井下方側からでも容易にファンの交換やメンテナンス作業を実施することができる。
【００１３】
本発明の第４の特徴構成は、前記ファンを備えた前記多孔パネルは、前記ファンを備えてないパネルと交換自在に形成してあるところにある。
【００１４】
本発明の第４の特徴構成によれば、ファンを備えた多孔パネルを、天井面内において、他の位置のパネルと交換することが可能となり、それに伴って、ファンの位置を、天井面内での他の位置に配置変更することが可能となる。
その結果、パーソナル空調を必要とするエリアが、例えば、室内の配置替え等によって変更されても、その変更後のエリアに合わせてファン付き多孔パネルの配置変更を行って、そのエリアを対象としたパーソナル空調を簡単に実施できるようになる。
尚、ファン付き多孔パネル以外のパネル（ファンを備えてないパネル）とは、ファン無し多孔パネルや、孔無し天井パネル等を含むことができる。
【００１５】
本発明の第５の特徴構成は、請求項１〜４の何れか一項に記載の天井ユニットを、前記天井面に沿って取り付けてある天井構造であって、横間隔をあけて天井スラブに吊り下げ支持された支持具にわたって、前記多孔パネルを支持させてあり、前記給気チャンバーに空調機からの給気ダクトを連通接続してあるところにある。
【００１６】
本発明の第５の特徴構成によれば、簡単な天井構造でありながら、多孔パネルによる放射空調、及び、多孔パネルから染み出す空調空気による空調、及び、ファンによるパーソナル空調等、それぞれの利点を共に発揮した空調を実現することができる。
【００１７】
本発明の第６の特徴構成は、天井面に開口するスリット状の吹出口を設けてあると共に、前記吹出口に前記空調機からの前記給気ダクトを連通接続してある対流空調方式の天井構造を、請求項５に記載の天井構造に改修する天井改修方法であって、前記吹出口に隣接する天井板を、前記多孔パネルに交換すると共に、前記多孔パネルの上面に、下方が開口した給気チャンバーを載置し、前記吹出口に連通接続してある前記給気ダクトを、前記給気チャンバーに着け替えるところにある。
【００１８】
本発明の第６の特徴構成によれば、吹出口に隣接する天井板を支持していた支持構造や、吹出口に連通接続してあった給気ダクト等を利用して、当該発明に係る天井ユニットを設置することができ、対流空調方式の天井構造を全て撤去して新たに設置し直すのに比べて、経済的に且つ効率よく短い期間で天井改修工事を実施することができる。
従って、繁雑な作業を最小限にしながら、対流空調方式の天井構造を、部屋全体を満遍なく空調できながら局部的な温度要求にも対応できる空調方式の天井構造に、迅速且つ経済的に切り替えることができる。
【図面の簡単な説明】
【００１９】
【図１】改修後の天井構造を示す断面図
【図２】改修後の天井構造を示す平面図
【図３】天井ユニットの縁部を示す断面図
【図４】別実施形態の多孔パネルを示す平面図
【図５】改修前の天井構造を示す断面図
【発明を実施するための形態】
【００２０】
以下に本発明の実施の形態を図面に基づいて説明する。
【００２１】
図１は、本発明の天井空調技術を用いて改修された天井構造を示す説明図である。
因みに、改修を実施する前の天井構造は、図５に示すとおりである。
【００２２】
改修前の天井構造においては、天井面Ｃには横間隔をあけて長尺の支持金物（支持具の一例）１が並設されており、この支持金物１によって、照明器具２や、天井板（パネルに相当）３や、スリット状の空調用吹出口（以後、単に吹出口という）４や、図には示さないスプリンクラヘッド、火災感知器、天井取付けのスピーカ、非常照明灯等が支持されている。
【００２３】
支持金物１は、断面形状が例えば逆「Ｔ」字状の長尺金物（所謂「Ｔバー」）で構成されており、天井スラブ（不図示）から吊り棒、又は、別の部材を介して吊り支持されている。また、断面逆Ｔ字の下縁部に位置する下縁フランジ部１ａに、各被支持物が載置（又は固定）されることで、それぞれを支持している。
【００２４】
照明器具２は、例えば、蛍光灯やＬＥＤ等で構成してあり、間隔をあけて並設されている前記支持金物１の内の隣接する一対間に配置され、両側部を、各下縁フランジ部１ａ上に載置する状態に設けられている。
【００２５】
天井板３は、例えば、矩形形状の岩綿吸音板等で構成してあり、その側縁部を、一対の支持金物１の各下縁フランジ部１ａ上に載置する状態に設けられている。
【００２６】
吹出口４は、空調機Ｋからの給気ダクト５に連通接続された筒部材で構成してある。この筒部材の出口部開口は、偏平形状に形成してあり、吹出口４は、一対の支持金物１間の隙間に、偏平長手方向が支持金物１の長手方向に沿う状態に納められている。
従って、空調機Ｋからの空調空気は、支持金物１間の隙間の吹出口４から、天井下方に直接的に吹き出されるものであり、この空調方式は、所謂「対流空調方式」に相当する。
【００２７】
次に、改修された後の天井構造について説明する。
図１に示すように、支持金物１、及び、それを天井スラブから吊り支持する部材は、そのほとんどが改修前のまま再利用されている。
また、空調機Ｋ、給気ダクト５、照明器具２、及び、図には示さないスプリンクラヘッド、火災感知器、天井取付けのスピーカ、非常照明灯等も、改修前のまま再利用されている。
【００２８】
天井板３は、改修対象となるものに関しては、新たな天井ユニットＴに取り替えられている。
吹出口４は、撤去され、吹出口４に連通接続されていた給気ダクト５は、天井ユニットＴに連通接続し直されている。
【００２９】
天井ユニットＴは、図１、図２に示すように、外形寸法が天井板３と同様に設定された多孔パネル６と、多孔パネル６の上面に載置自在な給気チャンバー７とを備えて構成してある。
【００３０】
多孔パネル６は、波形の板材（例えば、角波軽量鋼鈑等）で構成してあり、表裏に貫通する多数の空気流通孔６ａを備えている。
また、多孔パネル６は、熱伝導性の高い材料で構成してあることが好ましい。この構成により、給気チャンバー７内に送り込まれた空調空気と多孔パネル６との熱交換を効率よく実施して、多孔パネル６から天井下方への熱放射を利用した空調方式（所謂「放射空調方式」）を効果的に行うことができるようになる。
【００３１】
更に、当該実施形態においては、波形の板材を用いている（図３参照）。この構成により、平板に比べて断面二次モーメントの増大を図り、載置される給気チャンバー７の荷重による撓みを抑制することが可能となる。そして、多孔パネル６の設置に関しては、波形の山部稜線が、載置対象の支持金物１の間隔方向に沿うようにして、両支持金物１間を支持スパンとして設置されている。便宜上、多孔パネル６の山部稜線に沿う方向を「多孔パネルスパン方向Ｘ」といい、載置対象の支持金物１の長手方向に沿う方向を「多孔パネル幅方向Ｙ」という（図２参照）。
【００３２】
空気流通孔６ａは、細孔によって構成してあり、空調空気が染み出るように通過することで、天井下方におけるドラフト感の抑制を図っている。
また、空気流通孔６ａは、図３に示すように、多孔パネル６の波形における山面部分のみに形成してあり、上載荷重が加わった時に有効に作用する中立軸の下方側断面に、断面欠損を作らないようにし、強度低下の抑制を図っている。
更には、多孔パネル６が波形の板材で構成してあるから、結露水や塵等が多孔パネル６の上面に発生しても、それらは谷面部分に移動しやすく、山面部分に形成された空気流通孔６ａに対する目詰まり等の悪影響が生じるのを防止し易い。よって、空調機Ｋから給気チャンバー７内に送られてくる空調空気を、いつも空気流通孔６ａを通して、天井下方に染み出させることができる。
【００３３】
また、多孔パネル６は、図２に示すように、前記多孔パネル幅方向Ｙに複数分割した分割多孔パネル６Ａによって構成してある。各分割多孔パネル６Ａは、多孔パネル幅方向Ｙの相対位置関係を任意に変更できるように構成されている。
また、当該実施形態では、多孔パネル６を四分割にしたものを例に挙げており、その四枚の内の一枚の分割多孔パネル６Ａには、給気チャンバー７内の空気を、天井下方に向けて吹き出すファンＦが取り付けてある。このファンＦを取り付けてあるものを、ファン付き分割多孔パネル６Ａａといい、ファンＦを備えてないものを、ファン無し分割多孔パネル６Ａｂという。
ファンＦの駆動操作は、例えば、天井下方側からリモートコントローラ等で遠隔操作することができ、必要に応じて入切り操作することができる。
従って、ファン付きの分割多孔パネル６Ａａを設置した下方空間においては、ファンＦによる空調空気の直接風を受けることができ、パーソナル空調を実現することができる。
【００３４】
各分割多孔パネル６Ａどうしは、分割幅寸法を同じ寸法に設定してあり、且つ、天井ユニットＴ内における、多孔パネル幅方向Ｙの平面配置を自由に入れ替え変更できるように構成されている。
従って、例えば、室内において人が座る位置や、熱源が設置されている位置等に合わせてファン付き分割多孔パネル６Ａａの配置を変更するだけで、その部分を対象としたパーソナル空調を簡単に実施できるようになる。
一部のものにファンＦを備えると共に、配置変更自在に形成した分割多孔パネル６Ａによってファン配置変更手段Ｈが構成されている。
【００３５】
給気チャンバー７は、アルミ箔を貼り付けた強化不燃ダンボールにて形成され、図１に示すように、下面が開口する箱状に構成されている。給気チャンバー７の上面部７ａの一部に開口８が形成され、その開口８の周縁に筒状の接続部９が上方に延びる状態で取り付けられている。
接続部９には、給気ダクト５が連通接続されている。
また、給気チャンバー７の側面部７ｂの下縁には、全周にわたってクッション材１０が取り付けられいる（図３参照）。従って、給気チャンバー７を多孔パネル６上に載置した設置状態においては、クッション材１０が、多孔パネル６の波形形状に沿うように弾性変形するため、給気チャンバー７と多孔パネル６との隙間を密閉することができる。
【００３６】
次に、図５に示す天井構造を、図１に示す天井構造に改修する方法を説明する。
［１］吹出口４を給気ダクト５から外して撤去する。
［２］天井ユニットＴを設置する箇所にある天井板３を取り外して、多孔パネル６に設置し直す。その際、ファン付き分割多孔パネル６Ａａは、パーソナル空調を行う位置に合わせて配置する。
［３］多孔パネル６の上に、給気チャンバー７を載置すると共に、接続部９に、給気ダクト５を連通接続する。
以上の簡単な手順によって空調方式の異なる天井構造に改修することができる。
【００３７】
ここで説明した天井空調技術によれば、対流空調方式の天井構造を、放射空調方式とパーソナル空調とを合わせた肌理の細かな高度な空調を可能とする天井構造に、簡単、且つ、経済的に変更することが可能となる。
また、改修した後にも、パーソナル空調の対象位置の変更作業や、ファンＦのメンテナンス作業を、簡単に実施することができる。
【００３８】
〔別実施形態〕
以下に他の実施の形態を説明する。
【００３９】
〈１〉  多孔パネル６は、先の実施形態で説明した角波軽量鋼鈑で構成してあることに限らず、丸波形状のパネルであってもよい。また、波形のパネルに限るものではなく、平板であってもよい。
また、材質は、鋼板に限るものではなく、例えば、アルミ合金や、他の熱伝導性の高い金属等で構成してあってもよい。また、金属以外の材料や、それらと金属との組合せによるものであってもよい。
【００４０】
〈２〉  多孔パネル６とファンＦとの関係は、先の実施形態で説明したように複数分割した分割多孔パネル６Ａの内の一部の分割多孔パネル６ＡａにファンＦが取り付けられているものに限るものではなく、例えば、図４に示すように、分割しない一枚の多孔パネル６の偏芯した位置にファンＦを取り付けて構成してあってもよい。この実施形態の多孔パネル６によれば、多孔パネル６の設置方位を変更することで、天井面ＣにおけるファンＦの配置を変更することができる。
また、改修前の天井板３をそのまま設置してある箇所、又は、ファンＦを装備していない多孔パネルが設置してある箇所に、当該多孔パネル６を設置替えすることで、天井面ＣにおけるファンＦの配置を変更することができる。
また、一枚ものの多孔パネル６、又は、分割多孔パネル６Ａａに、ファンＦを着脱自在な着脱部を複数箇所に形成しておき、それら複数の着脱部の中から、ファンＦの着け替え対象の着脱部を選択して着け替えることで、天井面ＣにおけるファンＦの配置を変更することもできる。
これら各手段を含めて、ファン配置変更手段Ｈと総称する。
【００４１】
〈３〉  分割多孔パネル６Ａは、先の実施形態で説明したように多孔パネル６を多孔パネル幅方向Ｙに４等分したものに限るものではなく、例えば、２等分、３等分、又は、５等分以上に分割したものであってもよい。また、多孔パネル幅方向Ｙに等分してあることに限らず、分割幅が等分でない分割であってもよい。
【００４２】
〈４〉  給気チャンバー７は、先の実施形態で説明した材質、構造に限るものではなく、変更することが可能である。
【００４３】
〈５〉  支持具１は、先の実施形態で説明した支持金物（Ｔバー）に限るものではなく、例えば、Ｉ型のもの、Ｈ型のもの、山型のもの等を選択可能で、帯板の下端に軽量のアングルを取付けたものであってもよく、要するに、天井ユニットＴ、天井板３等を支持できるものであればよい。
【００４４】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００４５】
１      支持金物（支持具の一例）
３      天井板（パネルに相当）
４      空調用吹出口（以後、単に吹出口という）
５      給気ダクト
６      多孔パネル
６ａ    空気流通孔
６Ａ    分割多孔パネル
６Ａａ  ファン付き分割多孔パネル
７      給気チャンバー
Ｃ      天井面
Ｆ      ファン
Ｈ      ファン配置変更手段
Ｋ      空調機
【図１】
2015031060.tif 000003
【図２】
2015031060.tif 000004
【図３】
2015031060.tif 000005
【図４】
2015031060.tif 000006
【図５】
2015031060.tif 000007